(57)【特許請求の範囲】
【請求項１】
可視光領域に吸収を有する金属錯体とラジカル発生剤とを含有する偽造防止印刷用インキ。
【請求項２】
金属錯体が芳香族ジアミン系錯体、芳香族ジチオール系錯体、脂肪族ジアミン系錯体、脂肪族ジチオール系錯体及びメルカプトフェノール系錯体からなる群から選ばれる１種又は２種以上である請求項１記載のインキ。
【請求項３】
金属錯体の中心金属がニッケル、コバルト、マンガン、鉄、銅、パラジウム及び白金からなる群から選ばれる請求項１又は２記載のインキ。
【請求項４】
ラジカル発生剤がチオキサンソン系誘導体、ベンジル系誘導体、ベンゾイン系誘導体、ベンゾフェノン系誘導体、アシルホスフィンオキサイド、カンファーキノン、4'，4"−ジエチルイソフタロフェノンからなる群から選ばれる１種又は２種以上である請求項１〜３のいずれか１項に記載のインキ。
【請求項５】
可視光領域に吸収を有する金属錯体とラジカル発生剤とを含有する印刷層を有する偽造防止印刷物。
【請求項６】
金属錯体が芳香族ジアミン系錯体、芳香族ジチオール系錯体、脂肪族ジアミン系錯体、脂肪族ジチオール系錯体及びメルカプトフェノール系錯体からなる群から選ばれる１種又は２種以上である請求項５記載の印刷物。
【請求項７】
金属錯体の中心金属がニッケル、コバルト、マンガン、鉄、銅、パラジウム及び白金からなる群から選ばれる請求項５又は６記載の印刷物。
【請求項８】
ラジカル発生剤がチオキサンソン系誘導体、ベンジル系誘導体、ベンゾイン系誘導体、ベンゾフェノン系誘導体、アシルホスフィンオキサイド、カンファーキノン、4'，4"−ジエチルイソフタロフェノンからなる群から選ばれる１種又は２種以上である請求項５〜７のいずれか１項に記載の印刷物。
【請求項９】
可視光領域に吸収を有する金属錯体とラジカル発生剤とを含有し、カラー複写により同一の色を再現できない印刷層を印刷物の一方又は両方の面に設けることを特徴とする印刷物の偽造防止方法。
【発明の詳細な説明】
【０００１】
【産業上の利用分野】
本発明は、カラー複写を用いた印刷物の偽造を防止できる偽造防止印刷用インキ、このインキを用いた偽造防止印刷物及び偽造防止方法に関する。
【０００２】
【従来の技術】
近年、カラー複写機の分解能、色再現性等の性能が大幅に向上したことから、複写原本と見分けの付け難い複写物を容易に作製することができるようになってきた。このようなカラー複写機の出現は、本来は社会の利益となるものである。しかるに、これを悪用して、紙幣、有価証券、権利書等の精巧な複写物を作製し、使用することが社会問題となりつつある。
【０００３】
そこで、上記のようなカラー複写機を悪用した偽造を防止する方法が種々検討されている。
例えば、カラー複写機のスキャナーに収集されたフィルターを通して得られるシアン、マゼンタ、イエローの各色の分色情報と、それに対応するシアン、マゼンタ、イエローの各色の再現色との間にある色情報のギャップの生じ易い色を用い再現色の変色を生じさせることで、偽造を防止する方法が知られている〔特開昭５４−１５９００４号〕。
或いは、スキャナーの分解精度による再現色限界を利用して、線数の異なる印刷柄を重ねて目視では柄のつぶれにより連続に見られる模様が複写再現では色とびを生じて柄が不連続となることによる再現の困難な偽造防止印刷も知られている〔特開平６−２４７０８９号〕。
【０００４】
【発明が解決しようとする課題】
上記の前者の方法では、スキャナー精度やトナーの色再現性が向上することにより、複写再現は可能となる傾向があり、さらに各種調整を行うことにより再現が可能になる場合もある。
また、後者の方法では、線種の異なる印刷柄で目視の連続性を確保するためには、印刷時の濃淡の管理が難しく、高度な技術を要する。
【０００５】
そこで本発明の目的は、カラー複写機の性能によらず、特にカラー複写機の性能が大幅に向上しても利用でき、かつ特別な印刷技術を要しない偽造防止手段を提供することにある。
特に本発明の目的は、カラー複写機の性能によらず、特にカラー複写機の性能が大幅に向上しても利用でき、かつ特別な印刷技術を要せずに利用できる印刷インキ、印刷物及び偽造防止方法を提供することにある。
【０００６】
【課題を解決するための手段】
本発明は、可視光領域に吸収を有する金属錯体とラジカル発生剤とを含有する偽造防止印刷用インキに関する。
さらに本発明は、可視光領域に吸収を有する金属錯体とラジカル発生剤とを含有する印刷層を有する偽造防止印刷物に関する。
加えて本発明は、可視光領域に吸収を有する金属錯体とラジカル発生剤とを含有し、カラー複写により同一の色を再現できない印刷層を印刷物の一方又は両方の面に設けることを特徴とする印刷物の偽造防止方法に関する。
【０００７】
本発明のインキ及び印刷層は、可視光領域に吸収を有する金属錯体とラジカル発生剤との混合物を用いる。この混合物にラジカル発生剤がラジカルを発生し得る光を照射すると、ラジカル発生剤から金属錯体にラジカルが供給される。その結果、金属錯体の金属の価数が変化し、金属錯体の吸収スペクトルが変化する。本発明は、このような光、通常は紫外線を照射することで、色相が変化することを利用して色の再現を妨げることで、カラー複写機を用いた偽造の防止を行うものである。尚、本発明において可視光領域とは、３６０〜８３０ｎｍ、好ましくは３８０〜７８０ｎｍの波長範囲である。
【０００８】
本発明において「可視光領域に吸収を有する金属錯体」は、可視光領域に吸収を有し、かつラジカルの作用によって金属の価数が変化し得るものであれば特に制限はない。例えば、金属錯体は、芳香族ジアミン系錯体、芳香族ジチオール系錯体、脂肪族ジアミン系錯体、脂肪族ジチオール系錯体及びメルカプトフェノール系錯体等を挙げることができる。
また、金属錯体の中心金属は、例えばニッケル、コバルト、マンガン、鉄、銅、パラジウム及び白金等を挙げることができる。
【０００９】
芳香族ジアミン系錯体は、下記一般式（Ｉ）で示される錯体である。下記式中、Ｒは水素、アルキル基、ハロゲン基又はニトロ基を示し、ｎは１〜４の整数を示し、Ｍはニッケル、コバルト、パラジウム、白金等の金属元素を示し、Ａはハロゲンイオンを示す。
【００１０】
【化１】
0003636221.tif 000002
【００１１】
芳香族ジアミン系錯体の具体例としては、下記構造式で示されるビス（ｏ−フェニレンジアミノ）ニッケル、ビス（ｏ−フェニレンジアミノ）コバルト、ビス（ｏ−フェニレンジアミノ）パラジウム、ビス（ｏ−フェニレンジアミノ）白金を挙げることができる。これらのビス（ｏ−フェニレンジアミノ）ニッケル、ビス（ｏ−フェニレンジアミノ）コバルトは、ラジカルによって励起されて、錯体の価数ｚは＋１から＋２に変わり、色が青から緑に変化する。ビス（ｏ−フェニレンジアミノ）パラジウム、ビス（ｏ−フェニレンジアミノ）白金は、ラジカルによって励起されて、錯体の価数ｚは０から＋１に変わり、色が青から緑に変化する。
【００１２】
【化２】
0003636221.tif 000003
【００１３】
芳香族ジチオール系錯体は、下記一般式（II）で示される錯体である。下記式中、Ｚは水素、アルキル基又はハロゲン基を示し、ｎは１〜４の整数を示し、Ｍはニッケル、コバルト、銅、パラジウム、白金等の金属元素を示し、Ａは４級アンモニウム基を表す。尚、４級アンモニウム基としては、例えば、Ｂｕ4 Ｎ+ （Ｂｕ＝C4H9）を挙げることができる。
【００１４】
【化３】
0003636221.tif 000004
【００１５】
芳香族ジチオール系錯体の具体例としては、下記構造式で示されるビス（１，２−ジチオフェノレート）ニッケル、ビス（１，２−ジチオフェノレート）コバルト、ビス（１，２−ジチオフェノレート）銅等を挙げることができる。これらの錯体は、ラジカルによって励起されて、錯体の価数ｚは−２から−１に変わり、色が青から緑に変化する。
【００１６】
【化４】
0003636221.tif 000005
【００１７】
芳香族ジチオール系錯体の別の具体例としては、下記構造式で示されるビス（１−メチル−３，４−ジチオフェノレート）ニッケル、ビス（１−メチル−３，４−ジチオフェノレート）コバルト、ビス（１−メチル−３，４−ジチオフェノレート）銅等を挙げることができる。ビス（１−メチル−３，４−ジチオフェノレート）ニッケルは、ラジカルによって励起されて、錯体の価数ｚは−２から−１に変わり、色が赤から緑に変化する。ビス（１−メチル−３，４−ジチオフェノレート）コバルトは、ラジカルによって励起されて、錯体の価数ｚは−２から−１に変わり、色が緑から青に変化する。ビス（１−メチル−３，４−ジチオフェノレート）銅は、ラジカルによって励起されて、錯体の価数ｚは−２から−１に変わり、色が橙から緑に変化する。
【００１８】
【化５】
0003636221.tif 000006
【００１９】
脂肪族ジアミン系錯体は、下記一般式（III)で示される錯体である。下記式中、Ｙは水素、アルキル基、フェニル基又はシアノ基を示し、Ｍはニッケル、コバルト、パラジウム、白金等の金属元素を示す。尚、４級アンモニウム基としては、例えば、Ｂｕ4 Ｎ+ （Ｂｕ＝C4H9）を挙げることができる。
【００２０】
【化６】
0003636221.tif 000007
【００２１】
脂肪族ジアミン系錯体の具体例は、下記式で示されるビス（ジイミノマレオニトリル）ニッケル、ビス（ジイミノマレオニトリル）白金等を挙げることができる。これらの錯体は、ラジカルによって励起されて、錯体の価数ｚは−２から−１に変わり、色が赤から緑に変化する。
【００２２】
【化７】
0003636221.tif 000008
【００２３】
脂肪族ジチオール系錯体は、下記一般式（IV）で示される錯体である。下記式中、Ｅは水素、アルキル基、フェニル基又はシアノ基を示し、Ｍはニッケル、コバルト、銅、パラジウム、白金、マンガン、鉄等の金属元素を示す。尚、４級アンモニウム基としては、例えば、Ｂｕ4 Ｎ+ （Ｂｕ＝C4H9）を挙げることができる。
【００２４】
【化８】
0003636221.tif 000009
【００２５】
脂肪族ジチオール系錯体の具体例は、下記式で示されるビス（シス−１，２−ビスシアノ−１，２−ジチオレート）ニッケル、ビス（シス−１，２−ビスシアノ−１，２−ジチオレート）コバルト等を挙げることができる。これらの錯体は、ラジカルによって励起されて、錯体の価数ｚは−２から−１に変わり、色が赤から緑に変化する。
【００２６】
【化９】
0003636221.tif 000010
【００２７】
脂肪族ジチオール系錯体のその他の具体例は、下記式で示されるビス（シス−１，２−ビス（トリフルオロメチル）エチレン−１，２−ジチオレート）ニッケル、ビス（シス−１，２−ビス（トリフルオロメチル）エチレン−１，２−ジチオレート）コバルト、ビス（シス−１，２−ビス（トリフルオロメチル）エチレン−１，２−ジチオレート）銅、ビス（シス−１，２−ビス（トリフルオロメチル）エチレン−１，２−ジチオレート）パラジウム、ビス（シス−１，２−ビス（トリフルオロメチル）エチレン−１，２−ジチオレート）白金等を挙げることができる。これらの錯体は、ラジカルによって励起されて、錯体の価数ｚは−２から−１に変わり、色は、ニッケル錯体が黄から緑に、コバルト錯体が黄から緑に、銅錯体が赤から緑に、パラジウム錯体が緑から赤に、白金錯体が黄から赤にそれぞれ変化する。
【００２８】
【化１０】
0003636221.tif 000011
【００２９】
脂肪族ジチオール系錯体の別の具体例は、下記式で示されるビス（シス−１，２−ビスフェニルエチレン−１，２−ジチオレート）ニッケル、ビス（シス−１，２−ビスフェニルエチレン−１，２−ジチオレート）パラジウム、ビス（シス−１，２−ビスフェニルエチレン−１，２−ジチオレート）白金等を挙げることができる。これらの錯体は、ラジカルによって励起されて、錯体の価数ｚは−２から−１に変わり、色は、いずれの錯体も橙から赤紫に変化する。
【００３０】
【化１１】
0003636221.tif 000012
【００３１】
メルカプトフェノール系錯体は、下記一般式（Ｖ）及び（VI）で示される錯体である。下記式中、Ｇは水素、アルキル基又はハロゲン基を示し、Ｍはニッケル、コバルト、パラジウム、白金等の金属元素を示し、Ａは４級アンモニウム基を表す。
【００３２】
【化１２】
0003636221.tif 000013
【００３３】
一般式（Ｖ）で示されるメルカプトフェノール系錯体の具体例は、下記式で示されるビス（１−メルカプト−２−フェノレート）ニッケルを挙げることができる。この錯体は、ラジカルによって励起されて、錯体の価数ｚは−２から−１に変わり、色は赤から緑に変化する。
【００３４】
【化１３】
0003636221.tif 000014
【００３５】
一般式（ＶＩ）で示されるメルカプトフェノール系錯体の具体例は、下記式で示されるビス（１−メルカプト−２−ナフトレート）ニッケルを挙げることができる。この錯体は、ラジカルによって励起されて、錯体の価数ｚは−２から−１に変わり、色は赤から緑に変化する。
【００３６】
【化１４】
0003636221.tif 000015
【００３７】
ラジカル発生剤は、通常ラジカル重合開始剤として用いられているものをそのまま用いることができる。但し、複写機の光源のカットオフフィルターの性能等を考慮すると、３６０ｎｍ以上の波長の光線によってラジカルを発生させる化合物であることが好ましい。
【００３８】
ラジカル発生剤としては、例えば、チオキサンソン系誘導体（例えば、２−クロロチオキサンソン、２，４−ジエチルチオキサンソン、２，４−ジイソプロピルチオキサンソン、２，４−ジメチルチオキサンソン、イソプロピルチオキサンソン、２−メチルチオキサンソン、２，４−ジクロロチオキサンソン）、ベンジル系誘導体（ベンジル）、ベンゾイン系誘導体（ベンゾインイソプロピルエーテル、ベンゾインイソブチルエーテル）、ベンゾフェノン系誘導体（ベンゾフェノン、４，４’−ジメチルアミノベンゾフェノン、４，４’−ジエチルアミノベンゾフェノン）、アシルホスフィンオキサイド、カンファーキノン、4'，4"−ジエチルイソフタロフェノン等を挙げることができる。
【００３９】
金属錯体とラジカル発生剤との比率は、照射光によって付与される光学的活性エネルギーの強度およびラジカル発生量が金属錯体に及ぼす吸収領域の変位等を考慮して適宜決定される。例えば、金属錯体がビス（１，２−ジチオフェノレート）ニッケルであり、ラジカル発生剤が４，４’−ジメチルアミノベンゾフェノンの場合、その重量比率は、１：０．１〜１：１０の範囲であることが適当である。
【００４０】
金属錯体とラジカル発生剤とは、いずれも通常は固体である。一方、ラジカルの励起により金属錯体の価数ｚが変化して、色を効率良く変化させるためには、分子レベルで金属錯体の近傍にラジカル発生剤が存在することが好ましい。
そこで、金属錯体とラジカル発生剤とを有機溶媒に溶解して均一溶液とした後に溶媒を除去することで、金属錯体とラジカル発生剤とを分子レベルで均一に分散させることができる。溶解に用いた溶媒を全量除去することなく、ウェットな状態でインキの原料とすることもできる。
【００４１】
上記のような溶媒としては、例えば以下のような溶媒を用いることができる。ケトン類〔アセトン、メチルエチルケトン（ＭＥＫ）、メチルイソブチルケトン（ＭＩＢＫ）、シクロヘキサノン、ジエチルケトン、エチルアミルケトン、メチルシクロヘキサノン、ジイソブチルケトン、ジアセトンアルコール、イソホロン、ジメチルホルムアミド（ＤＭＦ）〕、炭化水素類〔ヘキサン、シクロヘキサン、ベンゼン、トルエン、キシレン、ヘプタン〕、ハロゲン化合物〔ジクロロメタン、クロロホルム、四塩化炭素〕、アルコール類〔エタノール、イソプロパノール（ＩＰＡ）、ｎ−プロパノール、メチルイソブチルカルビノール、エチレングリコール〕、エーテル類〔テトラヒドロフラン、２−エトキシエタノール〕、エステル類〔酢酸ｎ−ブチル、酢酸エチル〕等。
【００４２】
また、溶解の条件は、使用する溶媒の種類や金属錯体とラジカル発生剤の種類等を考慮して適宜決定できる。例えば、５０〜８０℃に加熱した有機溶媒に金属錯体とラジカル発生剤を添加し混合し、均一に溶解した後に、溶媒を一部又は全量留去することで、金属錯体とラジカル発生剤との均一混合物を得ることができる。
【００４３】
本発明のインキ中の上記金属錯体とラジカル発生剤との混合物は、オフセットインキに適する配合とすることを考慮して、通常１０〜５０重量％の範囲、好ましくは１０〜２５重量％の範囲とすることが適当である。
【００４４】
本発明のインキは、一般に、上記金属錯体及びラジカル発生剤に加えて、ビヒクルを含有する。ビヒクルの種類は、インキの印刷方法を考慮して適宜決定できる。印刷方法としては、例えば、シルクスクリーン印刷、グラビア印刷、オフセット印刷等を挙げることができる。
ビヒクルを構成する樹脂及び溶剤の種類を以下に説明する。
【００４５】
ビヒクルを構成する樹脂としては、ポリエチレン系〔ポリエチレン（ＰＥ）、エチレン−酢酸ビニル共重合体（ＥＶＡ）、塩化ビニル−酢酸ビニル共重合体〕、ポリプロピレン（ＰＰ）、ビニル系〔ポリ塩化ビニル（ＰＶＣ）、ポリビニルブチラール（ＰＶＢ）、ポリビニルアルコール（ＰＶＡ）、ポリ塩化ビニリデン（ＰＶｄＣ）、ポリ酢酸ビニル（ＰＶＡｃ）、ポリビニルホルマール（ＰＶＦ）〕、ポリスチレン系〔ポリスチレン（ＰＳ）、スチレン−アクリロニトリル共重合体（ＡＳ）、ＡＢＳ〕、アクリル系〔ポリメチルメタクリレート（ＰＭＭＡ）、ＭＭＡ−スチレン共重合体〕、ポリカーボネート（ＰＣ）、セルロース系〔エチルセルロース（ＥＣ）、酢酸セルロース（ＣＡ）、プロピルセルロース（ＣＰ）、酢酸・酪酸セルロース（ＣＡＢ）、硝酸セルロース（ＣＮ）、フッ素樹脂系〔ポリクロロフルオロエチレン（ＰＣＴＦＥ）、ポリテトラフルオロエチレン（ＰＴＦＥ）、テトラフルオロエチレン−ヘキサフルオロエチレン共重合体（ＦＥＰ）、ポリビニリデンフルオライド（ＰＶｄＦ）〕、ポリウレタン（ＰＵ）、ナイロン系〔タイプ６、タイプ６６、タイプ６１０、タイプ１１〕、ポリエステル系〔ポリエチレンテレフタレート（ＰＥＴ）、ポリブチレンテレフタレート（ＰＢＴ）、ポリシクロヘキサンテレフタレート（ＰＣＴ）等の熱可塑性樹脂を挙げることができる。
【００４６】
ビヒクルを構成する溶剤としては、ケトン類〔アセトン、メチルエチルケトン（ＭＥＫ）、メチルイソブチルケトン（ＭＩＢＫ）、シクロヘキサノン、ジエチルケトン、エチルアミルケトン、メチルシクロヘキサノン、ジイソブチルケトン、ジアセトンアルコール、イソホロン、ジメチルホルムアミド（ＤＭＦ）〕、炭化水素類〔ヘキサン、シクロヘキサン、ベンゼン、トルエン、キシレン、ヘプタン〕、ハロゲン化合物〔ジクロロメタン、クロロホルム、四塩化炭素〕、アルコール類〔エタノール、イソプロパノール（ＩＰＡ）、ｎ−プロパノール、メチルイソブチルカルビノール、エチレングリコール〕、エーテル類〔テトラヒドロフラン、２−エトキシエタノール〕、エステル類〔酢酸ｎ−ブチル、酢酸エチル〕等を挙げることができる。
【００４７】
本発明の偽造防止印刷物は、可視光領域に吸収を有する金属錯体とラジカル発生剤とを含有する印刷層を有するものである。ここで用いる金属錯体及びラジカル発生剤は、前記のインキと同様である。
印刷層中の金属錯体とラジカル発生剤の含有量は、複写の際に生じる色の変化が、偽造物であることが確認できる程度であるように適宜決定できる。例えば、印刷層中の濃度で２０〜５０重量％の範囲であることができる。
また、印刷層は、ベタ塗り層でも良く、またベタ塗り層ではなく、網点印刷層であることもできる。但し、網点率は、複写の際に生じる色の変化が、偽造物であることが確認できる程度であればよく、例えば１０％以上であることができる。
【００４８】
印刷層がベタ塗り層でない場合、模様等であることができ、その場合の模様等には特に制限はない。例えば、文字、数字、文章、模様、図形、彩紋、イラスト、写真等であることができる。
また、印刷層の形成位置は、印刷物上で目視できる位置であればよい。例えば、印刷物の表面に直接設けるか、あるいは、印刷層の上に保護層等の可視光線に透明な層を設けることができる。さらに、本発明のインキで形成したベタ塗り層である印刷層の上に、適当な模様等の印刷層をさらに形成することもできる。
【００４９】
本発明の可視光領域に吸収を有する金属錯体とラジカル発生剤とを含有する印刷層は、カラー複写により同一の色を再現できない。そのため、この印刷層を印刷物の一方又は両方の面に設けることにより、印刷物の偽造を防止することができる。
【００５０】
【発明の効果】
本発明によれば、カラー複写機の性能によらず、特にカラー複写機の性能が大幅に向上しても利用でき、かつ特別な印刷技術を要しない偽造防止手段を提供することができる。
さらに、本発明によれば、カラー複写機の性能によらず、特にカラー複写機の性能が大幅に向上しても利用でき、かつ特別な印刷技術を要せずに利用できる印刷インキ、印刷物及び偽造防止方法を提供することができる。
【００５１】
【実施例】
以下本発明を実施例によりさらに説明する。
実施例１
インオーガニック・ケミストリー（Inorg. Chem.) ３巻、６６３頁（１９６４）に記載の方法に従って金属錯体であるビス（シス−１，２−ビスシアノ−１，２−ジチオレート）ニッケル（II）テトラ−ｎ−ブチルアンモニウムを合成した。この金属錯体１０重量部、ラジカル発生剤として２−クロロチオキサンソン（Ｍｗ＝２４６．５  λｍａｘ＝３８３ｎｍ）５重量部をメチルエチルケトン（ＭＥＫ）３５重量部に溶解し、７０℃に１２０分間加熱還流混合した。加熱終了後、室温まで放冷して、溶媒を含む金属錯体とラジカル発生剤の均一混合物を得た。
【００５２】
ＰＭＭＡ（ポリメチルメタクリレート）１５重量部をＭＥＫ３５重量部に溶解したビヒクルを作成し、上記で得られた均一混合物と混合して、本発明のインキを得た。このインキを用いてＰＥＴシート面にグラビア印刷をして、赤色の印刷柄を有する本発明の印刷物を得た。
得られた印刷物をカラー複写機（キャノン  ピクセルｄｕｏ）にてコピーしたところ上記赤色の印刷柄は緑色の柄に複写された。
【００５３】
実施例２
水３０ｍｌに溶解したＮｉＣｌ2 ・Ｈ2 Ｏ（１０ｇ）と濃アンモニア水を６ｇのｏ−フェニレンジアミンの溶解している８００ｍｌの熱水中に混合し、２４時間ビーカー中で攪拌した。その後、ブルーの沈殿が析出し、水さらにはアセトンで洗浄することでろ過し、乾燥して金属錯体であるビス（ｏ−フェニレンジアミノ）ニッケル１３ｇを得た（収率７０％）。
【００５４】
ラジカル発生剤として２，４−ジエチルチオキサンソン（Ｍｗ＝２６８  λｍａｘ＝３８３ｎｍ）５重量部をシクロヘキサノン３５重量部に溶解し、８０℃に加熱して上記錯体１３ｇと混合し、８０℃に１２０分間加熱還流混合した。加熱終了後、室温まで放冷して、溶媒を含む金属錯体とラジカル発生剤の均一混合物を得た。
【００５５】
ＰＭＭＡ（ポリメチルメタクリレート）１５重量部をシクロヘキサン３５重量部に溶解したビヒクルを作成し、上記で得た均一混合物と混合して、本発明のインキを得た。得られたインキを用いてコート紙にシルクスクリーン印刷して、青色の印刷柄を有する本発明の印刷物を得た。
得られた印刷物をカラー複写機（キャノン  ピクセルｄｕｏ）にてコピーしたところ上記青色の印刷柄は緑色の柄に複写された。